(57)【特許請求の範囲】
【請求項１】
外部表示装置に画像を出力することが可能な端末装置であって、
表示部と、前記外部表示装置に前記画像を表示中に当該端末装置本体の操作信号を検出すると、前記外部表示装置への前記画像の表示を継続すると共に、前記表示部に前記画像とは異なる画像を表示する異出力制御を行う異出力制御部と、前記外部表示装置から外部操作信号を受信する外部操作信号受信部と、該外部操作信号と前記操作信号とのうち、何れが検出されたかにより操作元を判別する操作元判別部と、を備え、
前記異出力制御部は、前記外部表示装置に前記画像を表示中に、前記操作元判別部で判別された操作元が前記操作信号であったときに、前記異出力制御を行うことを特徴とする端末装置。
【請求項２】
請求項１に記載の端末装置において、前記外部操作信号は、前記外部表示装置を制御するためのリモートコントローラから前記外部表示装置を経由して受信したリモコン操作信号であることを特徴とする端末装置。
【請求項３】
請求項１又は２に記載の端末装置において、前記異出力制御部は、前記操作信号として、操作キーの入力信号、当該端末装置の移動を検知した信号、当該端末装置の物理的形状の変化を検知した信号のいずれかを検出すると、前記異出力制御を行うことを特徴とする端末装置。
【発明の詳細な説明】
【技術分野】
【０００１】
本発明は、端末装置に関し、より詳細には、外部表示装置と接続可能でその外部表示装置に画像を出力することが可能な端末装置に関する。
【背景技術】
【０００２】
従来から、携帯電話機、携帯情報端末（ＰＤＡ：Personal Digital Assistance）、モバイル型のパーソナルコンピュータ（ＰＣ）等の携帯端末装置には、接続した外部表示装置に画像を出力する機能が備わっているものがある。【０００３】
特許文献１には、大型の視聴装置で映像や音声を再生させる際、携帯端末装置のディスプレイに表示される電子メールの受信表示等の表示を外部の表示画面で表示しないように、視聴装置に送出するデータを制限することや、反対に携帯端末装置内部で再生できないデータを送出することが可能な携帯端末装置が開示されている。
【先行技術文献】
【特許文献】
【０００４】
【特許文献１】特開２００６−２６２１９０号公報
【発明の概要】
【発明が解決しようとする課題】
【０００５】
ところで、携帯端末装置の表示部に表示する画像を外部表示装置に出力して表示させている状況で、電子メールや電話の着信などのイベントが発生したときには、そのイベントに応じて外部表示装置に出力する画像も変わるため、そのイベントの情報、例えば電子メールの送信元や通話元の情報が、携帯端末装置のユーザ以外の視聴者であっても外部表示装置で視聴できてしまうことになる。【０００６】
特許文献１に記載の技術では、大型の視聴装置（外部表示装置）で再生させる際、携帯端末装置のディスプレイに表示される電子メールの受信表示等の表示を外部の表示画面で表示しないように、外部表示装置に送出するデータを制限するような事前設定を行うことが可能である。【０００７】
しかしながら、この技術では、外部表示装置に表示して他の視聴者と共に視聴するような公開データと、外部表示装置へは表示せずに携帯端末装置のユーザだけが視聴したいプライベートデータとを区別するために、プライベートデータであるのか公開データであるのかを示す属性情報を予めデータの種類（例えば受信メールや着信イベントや電池残量等）に関連付ける設定を行っておく必要がある。従って、このような設定の手間がかかると共に、属性情報の設定に基づき外部表示装置に送出するデータを自動的に制限するため、他の視聴者が家族、友人、会社の同僚、その他の何れであるのかといった状況や現在の画像がどのようなものであるのかに応じて、その場で画像の出力／制限の操作をユーザが容易にできない。【０００８】
本発明は、上述のような実状に鑑みてなされたものであり、その目的は、外部表示装置に画像を出力して表示させている際に、電話の着信、電子メールの受信などにより外部表示装置の現在の視聴者に見せたくない画像を表示させる操作を行ったとしても、外部表示装置で同じ画像の表示を継続することが可能な端末装置を提供することにある。
【課題を解決するための手段】
【０００９】
上記課題を解決するために、本発明の第１の技術手段は、外部表示装置に画像を出力することが可能な端末装置であって、表示部と、前記外部表示装置に前記画像を表示中に当該端末装置本体の操作信号を検出すると、前記外部表示装置への前記画像の表示を継続すると共に、前記表示部に前記画像とは異なる画像を表示する異出力制御を行う異出力制御部と、前記外部表示装置から外部操作信号を受信する外部操作信号受信部と、該外部操作信号と前記操作信号とのうち、何れが検出されたかにより操作元を判別する操作元判別部と、を備え、
前記異出力制御部は、前記外部表示装置に前記画像を表示中に、前記操作元判別部で判別された操作元が前記操作信号であったときに、前記異出力制御を行うことを特徴としたものである。【００１１】
第２の技術手段は、第１の技術手段において、前記外部操作信号は、前記外部表示装置を制御するためのリモートコントローラから前記外部表示装置を経由して受信したリモコン操作信号であることを特徴としたものである。【００１２】
第３の技術手段は、第１又は第２の技術手段において、前記異出力制御部は、前記操作信号として、操作キーの入力信号、当該端末装置の移動を検知した信号、当該端末装置の物理的形状の変化を検知した信号のいずれかを検出すると、前記異出力制御を行うことを特徴としたものである。
【発明の効果】
【００１３】
本発明の端末装置によれば、端末装置から外部表示装置に画像を出力して表示させている際に、電話の着信、電子メールの受信などにより外部表示装置の現在の視聴者に見せたくない画像を表示させる操作を行ったとしても、外部表示装置での画像の表示を継続することが可能になる。
【図面の簡単な説明】
【００１４】
【図１】本発明の一実施形態に係る携帯端末装置とそれに接続されたＴＶとを含む表示システムの一構成例を示す図である。
【図２】図１の表示システムにおける接続開始時、ＴＶリモコン操作時の操作及び表示例を示す図である。
【図３】図１の表示システムにおける携帯端末装置操作時、ＴＶリモコン操作時の操作及び表示例を示す図である。
【図４】図２の操作及び表示例に対応する処理手順の一例を説明するためのフロー図である。
【図５】図３の操作及び表示例に対応する処理手順の一例を説明するためのフロー図である。
【図６】図４及び図５の処理手順において携帯端末装置とＴＶとの間で送受されるＣＥＣコマンドのフレーム構造を示す概略図である。
【図７】図１の表示システムにおける携帯端末装置で実行される、ＴＶとの間の接続／切断イベント発生時の処理例を説明するためのフロー図である。
【図８】図１の表示システムにおける携帯端末装置で実行される、ユーザ操作イベント発生時の処理例を説明するためのフロー図である。
【図９】図１の表示システムにおける接続開始時、ＴＶリモコン操作時、携帯端末装置操作時の他の操作及び表示例を示す図である。
【図１０】図９の操作及び表示例に対応する処理手順の一例を説明するためのフロー図である。
【図１１】図１の表示システムにおける携帯端末装置で実行される、ＴＶとの間の接続／切断イベント発生時の他の処理例を説明するためのフロー図である。
【図１２】図１の表示システムにおける携帯端末装置で実行される、ユーザ操作イベント発生時の他の処理例を説明するためのフロー図である。
【発明を実施するための形態】
【００１５】
本発明に係る端末装置は、外部表示装置に画像を出力することが可能になっている。以下、端末装置として、携帯端末装置を挙げるが、携帯性は必須ではない。また、携帯端末装置として、通話及び電子メールの受信が可能な装置を例に挙げるが、通話や電子メールの送受を行う機能はなくてもよい。また、外部表示装置として、テレビ装置（単に、ＴＶという）を例に挙げて説明するが、画像を表示するための表示部と携帯端末装置と通信するための通信部とが設けられていればよく、例えば単なるモニタや、デジタルフォトフレーム等であってもよい。
【００１６】
また、画像を出力するための接続については、ＨＤＭＩ（High-Definition Multimedia Interface）ケーブルでの接続を例示するが、ｉ.ＬＩＮＫ（登録商標）でのケーブル接続、Ｂｌｕｅｔｏｏｔｈ（登録商標）や無線ＬＡＮ（Local Area Network）等の無線接続など、画像を携帯端末装置からＴＶ等の外部表示装置へ出力可能な様々な接続方法が採用できる。なお、ＨＤＭＩ規格等においても、無線ＬＡＮ規格等の無線接続の規格と併用し、無線信号として画像データやＣＥＣ（Consumer Electronics Control）コマンドを送信するように構成することは可能である。
【００１７】
図１は、本発明の一実施形態に係る携帯端末装置とそれに接続されたＴＶとを含む表示システムの一構成例を示す図である。図１で例示する表示システムは、携帯端末装置１とＴＶ４とがＨＤＭＩケーブル３で接続されてなり、またＴＶ４にはＴＶ４のリモートコントローラであるＴＶリモコン５が付属している。
【００１８】
携帯端末装置１は、携帯端末装置１の全体を制御する制御部１０と共に、通信部１１、マイク１２、スピーカ１３、表示部１４、外部ＡＶ出力部１５、ＲＯＭ（Read Only Memory）／ＲＡＭ（Random Access Memory）部１６、操作入力部１７、及び外部操作入力通信部１８を備える。
【００１９】
通信部１１は、基地局や中継局との通信を行う。マイク１２は、通話時等にユーザの音声を入力する。スピーカ１３は、通信部１１で受信した通話時の相手先の音声等を出力する。表示部１４は、後述の内部出力データ生成部２２から出力された画像データが示す画像を表示する。外部ＡＶ出力部１５は、ＨＤＭＩケーブル３のＴＭＤＳ（Transition Minimized Differential Signaling）ラインを介して、ＴＶ４に画像データを出力するためのインターフェース（Ｉ／Ｆ）である。この画像データは後述の外部出力データ生成部２３から出力されたデータである。ＲＯＭ／ＲＡＭ部１６は、制御部１０で実行するためのプログラムや設定情報などを格納している。
【００２０】
操作入力部１７は、操作キー群を有し、各操作キーの押下を検出して各操作キーに対応する操作信号を制御部１０に伝えるなどにより、ユーザからの操作を入力する。また、操作キーは、表示部１４に組み込んだタッチパネルと表示部１４に表示させるキー画像とで構成してもよい。
【００２１】
外部操作入力通信部１８は、ＨＤＭＩケーブル３のＣＥＣラインを介して、ＴＶ４から送信された外部操作に関するＣＥＣコマンドを受信したり、ＴＶ４にＣＥＣコマンドを送信したりするＩ／Ｆである。外部操作とは、ＴＶリモコン５でのキー操作やＴＶ４の本体に設けられた操作入力部でのキー操作を指す。
【００２２】
外部操作入力通信部１８は、外部操作信号を受信する外部操作信号受信部の一例である。ここで、外部操作信号は、ＴＶ４からの上記外部操作に関するＣＥＣコマンド等の操作信号であり、例えば携帯端末装置１で出力する画像を変更するためのＣＥＣコマンド等の操作信号とする。このように、携帯端末装置１は、ＴＶ４からの外部操作信号を受信可能になっており、その外部操作信号によっても出力する画像を変更することが可能になっている。無論、外部操作信号は、携帯端末装置１における出力画像変更以外の操作を行うために送信されたものであってもよい。
【００２３】
また、外部操作信号としては、上記外部操作について説明したように、ＴＶ４を制御するためのＴＶリモコン５からＴＶ４を経由して受信したリモコン操作信号を利用することで、ユーザが手元で操作を行うことができるようになる。なお、ＨＤＭＩケーブル３以外にも、ＴＶリモコン５からの操作信号がＴＶ４を経由して携帯端末装置１に受信できれば、つまり、所謂リモコンパススルーに相当するコマンドがＴＶ４から携帯端末装置１に送信可能な接続方法であれば適用できる。
【００２４】
制御部１０は、出力先判断／制御部２１、内部出力データ生成部２２、及び外部出力データ生成部２３を備える。出力先判断／制御部２１については後述する。
【００２５】
内部出力データ生成部２２は、表示部１４に表示するための画像データ、スピーカ１３に出力するための音声データを、必要に応じてＲＯＭ／ＲＡＭ部１６からのプログラムや設定情報を読み出しながら生成し、それぞれ表示部１４、スピーカ１３に出力する。
【００２６】
内部出力データ生成部２２では、携帯端末装置１の表示部１４で表示するためのＵＩ（User Interface）画像をはじめ、携帯端末装置１内に格納された写真等の他の静止画像や動画（映像）のコンテンツや、携帯端末装置１で通信部１１等を介して取得できるワンセグ映像やＷＥＢ画像などの画像データを生成し、表示部１４に出力する。また、内部出力データ生成部２２では、これらの画像に付随する音声や携帯端末装置１内に格納された音楽コンテンツなどの音声データを生成し、スピーカ１３に出力する。
【００２７】
外部出力データ生成部２３は、ＴＶ４に出力するための画像データ（及び音声データ）を、必要に応じてＲＯＭ／ＲＡＭ部１６からのプログラムや設定情報を読み出しながら生成し、外部ＡＶ出力部１５に出力する。このように、携帯端末装置１は、主に外部出力データ生成部２３及び外部ＡＶ出力部１５を備えることにより、ＨＤＭＩケーブル３を介してＴＶ４に画像（及び音声）を出力することが可能となっている。
【００２８】
外部出力データ生成部２３では、内部出力データ生成部２２での出力対象と同様に、ＵＩ画像、他の静止画像や動画のコンテンツ、ワンセグ映像やＷＥＢ画像などの画像データを生成し、外部ＡＶ出力部１５に出力する。また、外部出力データ生成部２３は、これらの画像に付随する音声や携帯端末装置１内に格納された音楽コンテンツなどの音声データを生成し、外部ＡＶ出力部１５に出力する。なお、ＴＶ４には、音声データも出力可能なようにスピーカ又は外部スピーカへの接続端子等の音声出力装置を設けておけばよい。
【００２９】
携帯端末装置１は、本発明の主たる特徴として、次の異出力制御部を備える。異出力制御部は、ＴＶ４に携帯端末装置１からの画像を表示中に、操作入力部１７の操作キーで入力された操作の信号など、携帯端末装置本体の操作信号（以下、内部操作信号という）を検出すると、ＴＶ４へのその画像の表示を継続すると共に、表示部１４にその画像とは異なる画像（ＴＶ４へ表示中の情報とは異なる情報を示す画像）を表示する異出力制御を行う。この異出力制御では、表示部１４に表示させる上記異なる画像は、基本的に内部操作信号が示す処理を施した画像とし、ＴＶ４で表示が継続されている画像とは異出力になっている。つまり、瞬時に且つ容易な操作で、表示部１４へその操作に応じた画像を表示させると共に、ＴＶ４での表示をその表示とは異なる内容にすることができる。
【００３０】
また、上述したように、携帯端末装置１に外部操作信号受信部（外部操作入力通信部１８における受信部に相当する部位）が設けられ、外部操作信号が受信可能となっている場合には、制御部１０が、上記異出力制御を実行するために、操作元を判別する必要がある。
【００３１】
そのため、携帯端末装置１は、外部操作信号と内部操作信号とのうち、何れが検出されたかにより操作元を判別する操作元判別部を有する。操作元判別部が入力された信号で操作元を判別する例を挙げて説明するが、操作元判別部は、単に操作信号の入力経路（例えば出力先判断／制御部２１での入力端子を分けておき、いずれの端子から入力されたか）などで操作元を判別するように構成してもよい。
【００３２】
出力先判断／制御部２１は、上述した異出力制御部とこの操作元判別部とを備えた部位の一例である。つまり、出力先判断／制御部２１は、外部操作信号であるか又は内部操作信号であるかにより操作元がＴＶ４側であるのか携帯端末装置１本体であるのかを判別し、上記異出力制御を行って、判別された操作元が操作入力部１７等の本体であったときに、ＴＶ４へのその画像の表示を継続すると共に、表示部１４にその画像とは異なる画像を表示する。
【００３３】
以上、説明したように、携帯端末装置１によれば、携帯端末装置１からＴＶ４に画像を出力して表示させている際に、電話の着信、電子メールの受信などによりＴＶ４の現在の視聴者に見せたくない画像を表示させる操作を行ったとしても、ＴＶ４での画像の表示をそのまま継続することが可能になる。また、ユーザがＴＶ４を見ながら、出力する画像の変更を行う場合には、ＴＶ４へのＴＶリモコン５等による操作で実行できる。
【００３４】
また、携帯端末装置１に外部操作信号受信部を設けない構成でも、つまり上述の操作元判別部を備えなくても、上述した異出力制御は実行できる。従って、携帯端末装置１が外部操作信号を受信できる構成でなく出力先判断／制御部２１で例示した操作元判別部も備えない構成であっても、携帯端末装置１からＴＶ４に画像を出力して表示させている際に、ＴＶ４の現在の視聴者に見せたくない画像を表示させるような操作をせざるを得ないときに、携帯端末装置１での簡単で瞬時に行える操作により、ＴＶ４での表示中の画像を継続しつつ、表示部１４のみ操作に応じた画像を表示することが可能になる。
【００３５】
次に、図１の表示システムにおける処理の具体例を図２〜図８を参照しながら説明する。まず、図２〜図６を参照し、この具体例の概要について説明する。図２は、図１の表示システムにおける接続開始時、ＴＶリモコン操作時の操作及び表示例を示す図で、図３は、図１の表示システムにおける携帯端末装置操作時、ＴＶリモコン操作時の操作及び表示例を示す図である。また、図４、図５は、それぞれ図２、図３の操作及び表示例に対応する処理手順の一例を説明するためのフロー図である。また、図６は、図４及び図５の処理手順において携帯端末装置とＴＶとの間で送受されるＣＥＣコマンドのフレーム構造を示す概略図である。
【００３６】
図２の状態Iで示すように、まず携帯端末装置１とＴＶ４とをＨＤＭＩケーブル３で接続する。このとき、携帯端末装置１は、接続を検知する（ステップＳ１）。続いて、自動的に内部出力データ生成部２２が、出力コンテンツを選択するためのＵＩ画像２２ａを生成し（又は読み出し）、携帯端末装置１の表示部１４に表示する（ステップＳ２）。また、ＵＩ画像２２ａは携帯端末装置１での所定のユーザ操作により表示部１４に表示するような制御を採用してもよいが、その場合には、その所定のユーザ操作による操作信号と上記内部操作信号とを異なるようにしておくか、所定のユーザ操作によるその制御が完了するまで上記異出力制御を実行しないような制限が必要となる。
【００３７】
また、ステップＳ２では、自動的に外部出力データ生成部２３が、ＵＩ画像２２ａと同等のＵＩ画像２３ａ（ＵＩ画像２２ａをＴＶ４の表示部のサイズや解像度に合わせたＵＩ画像）を生成し（又は読み出し）、外部ＡＶ出力部１５に渡す。これにより、外部ＡＶ出力部１５がＨＤＭＩケーブル３を介してＴＶ４にＵＩ画像２３ａを出力し（ステップＳ３）、ＴＶ４が自身の表示部にＵＩ画像２３ａを表示する。なお、外部出力データ生成部２３で生成され入力したＵＩ画像２３ａ等の画像は、ＴＶ４側で拡大などのスケーリング処理を施してから表示させてもよい。また、ステップＳ２等では、表示部１４とＴＶ４との出力状態（ステップＳ２の場合には表示部１４とＴＶ４とが同等出力中の状態であること）をＲＯＭ／ＲＡＭ部１６に記録して管理しておき、現在の状態を把握できるようにしておく。記録する状態としては、ステップＳ２の同等出力中状態の他、後述する異出力中状態が挙げられる。
【００３８】
このような状態Iから、ＴＶリモコン５でリモコンキーがユーザにより操作されたとする（ステップＳ４）。ここでは、状態IIのように、リモコンパススルー用のＤｏｗｎキーが操作されたとして説明する。なお、ＨＤＭＩ規格のＣＥＣでは、Ｄｏｗｎキーの他、Ｕｐキー、Ｌｅｆｔキー、Ｒｉｇｈｔキー、Ｅｘｉｔキーなど様々なリモコンキーがリモコンパススルーでＴＶ４に接続されたＣＥＣ対応機器に転送可能になっている。
【００３９】
ＴＶ４では、リモコンパススルー用のＤｏｗｎキーの押下により送信されたリモコン信号をリモコン用の受信部で受信して、リモコンパススルー用のＤｏｗｎキーであると解釈し、ＣＥＣコマンド＜Ｕｓｅｒ  Ｃｏｎｔｒｏｌ  Ｐｒｅｓｓｅｄ＞［Ｄｏｗｎ］を、携帯端末装置１にＨＤＭＩケーブル３を介して送信する（ステップＳ５）。その後、このＤｏｗｎキーから手が離されたときに、同様に、ＴＶ４がそれを受信して、離されたことを解釈し、ＣＥＣコマンド＜Ｕｓｅｒ  Ｃｏｎｔｒｏｌ  Ｒｅｌｅａｓｅｄ＞を、携帯端末装置１にＨＤＭＩケーブル３を介して送信する（ステップＳ６）。
【００４０】
ＣＥＣコマンドは、図６のＣＥＣコマンド３０で例示するように、スタートビット（Ｓ）３１、ヘッダブロック（Header Block）３２、制御コマンド（Opecode）３３といったフレーム構造をもち、制御コマンド３３に続いて必要な場合にパラメータ（Parameter）３４が付される。ヘッダブロック３２には、メッセージ送信アドレス（Initiator）３２ａとメッセージ受信アドレス（Destination）３２ｂとが、論理アドレスで記述されている。ＴＶリモコン５からのリモコン操作信号を受けたＴＶ４は、自身の論理アドレスをメッセージ送信アドレス３２ａとし、現在接続されている他のＣＥＣ対応機器の論理アドレスをメッセージ受信アドレス３２ｂとして、ステップＳ５，Ｓ６のようなＣＥＣコマンドを送信する。ＣＥＣ対応機器は、メッセージ送信アドレス３２ａによりメッセージの送信元を判別でき、メッセージ受信アドレス３２ｂにより自身の論理アドレスと比較することで、続く制御コマンド３３が自身に向けられたコマンドであるのか否かを認識することができる。
【００４１】
携帯端末装置１では、ステップＳ５，Ｓ６のＣＥＣコマンドをメッセージ受信アドレス３２ｂと自身の論理アドレスとを比較して一致したとき外部操作入力通信部１８で受信する。出力先判断／制御部２１は、そのＣＥＣコマンドのメッセージ送信アドレス３２ａを解釈して、ＴＶからの外部操作信号であること、つまりＴＶリモコンキーが押下されたことを検知する（ステップＳ７）。
【００４２】
続いて、制御部１０は、Ｄｏｗｎキーが押下された外部操作信号であることを制御コマンド３３から解釈して、その旨を内部の出力先判断／制御部２１に渡す。出力先判断／制御部２１は、外部操作信号であることからＴＶ４を出力先と判断して、外部出力データ生成部２３に対し、ＵＩ画像２３ａからカーソルが１つ下へ移動したＵＩ画像２３ｂの生成を指示し、外部出力データ生成部２３がそのＵＩ画像２３ｂを生成し、外部ＡＶ出力部１５に渡す（ステップＳ８）。これにより、外部ＡＶ出力部１５がＨＤＭＩケーブル３を介してＴＶ４へそのＵＩ画像２３ｂを出力し（ステップＳ９）、ＴＶ４が自身の表示部にＵＩ画像２３ｂを表示する。
【００４３】
また、ステップＳ８では、出力先判断／制御部２１が、外部操作信号を受信したことを判定したので、内部出力データ生成部２２に対しても、ＴＶ４と同等のＵＩ画像２２ｂを生成する指示を送り、内部出力データ生成部２２がそれに従ってＵＩ画像２２ｂを生成し、表示部１４に出力して表示させる。また、ステップＳ８では、このような処理の状態（同等出力中状態）をＲＯＭ／ＲＡＭ部１６に記録した状態のまま管理しておき、現在の状態を把握できるようにしておく。
【００４４】
このような状態I又は状態IIから、携帯端末装置１の操作入力部１７で操作がなされたとする（ステップＳ１０）。ここでは、状態IIIのように、電子メール受信ＢＯＸを表示する操作がなされたとして説明する。この操作は、電子メールの受信により自動的に行ったとみなしてもよいし、ユーザが過去の電子メールを確認したいと希望して行った操作であってもよい。
【００４５】
電子メール受信ＢＯＸ表示操作を操作入力部１７が受け取ると、制御部１０にその処理内容を示す内部操作信号を渡す。これにより、出力先判断／制御部２１が外部操作信号ではなく内部操作信号であることを検知、つまり携帯端末装置１の操作キーの押下を検知する（ステップＳ１１）。
【００４６】
続いて、制御部１０は、その内部操作信号から操作内容（この例では電子メール受信ＢＯＸの表示）を解釈して、その操作内容を内部の出力先判断／制御部２１に渡す。出力先判断／制御部２１は、内部操作信号であることから携帯端末装置１の表示部１４を出力先と判断して、内部出力データ生成部２２に対し、電子メール受信ＢＯＸを表示するＵＩ画像２２ｃの生成を指示し、内部出力データ生成部２２がそのＵＩ画像２２ｃを生成し、表示部１４に渡す（ステップＳ１２）。これにより、表示部１４で、ユーザが秘密情報として取り扱う情報を含むＵＩ画像２２ｃが表示される。
【００４７】
また、ステップＳ１２では、出力先判断／制御部２１が、内部操作信号を受信したことを判定したが、外部出力データ生成部２３に対しては、以前のままの画像（ＵＩ画像２３ｂ）の出力を指示する。なお、当然のごとく動画像を出力していた場合にはその動画像の出力を継続する指示がなされる。これにより、外部出力データ生成部２３及び外部ＡＶ出力部１５が以前の画像出力を継続する（ステップＳ１３）。
【００４８】
また、ステップＳ１２では、このような処理の状態をＲＯＭ／ＲＡＭ部１６に記録して管理しておき、現在の状態を把握できるようにしておく。状態I又は状態IIから状態IIIへの遷移により、表示部１４とＴＶとで同等出力を行っていない異出力中状態に更新すればよい。
【００４９】
また、ステップＳ１０での携帯キーの操作を行う場面としては、他人に見られたくないデータ（プライベートデータ）の閲覧へ移行する時が挙げられる。プライベートデータとしては、例えば、（１）携帯端末装置１のユーザ個人を管理するためのデータ、（２）ユーザ個人の嗜好に結び付くデータ、（３）ユーザ個人の思考形態／行動形態に結び付くデータ、（４）ユーザ個人のみが使用するデータ、（５）ユーザ個人の過去の行動記録（操作記録／通信記録）データなどが挙げられる。
【００５０】
上記（１）のデータとしては、ユーザ個人の氏名、電話番号、電子メールアドレスなどが挙げられる。上記（２）のデータとしては、例えば、特定の写真、特定の動画、特定の音楽データ、特定の電子ブックデータ、特定のダウンロードアプリ、歩数計データ、食事記録、スケジュール、特定のドキュメントなどが挙げられる。上記（３）のデータとしては、電子メール、データフォルダ名（メールＢＯＸ名）などが挙げられる。上記（４）のデータとしては、アドレス帳、留守番電話記録などが挙げられる。上記（５）としては、ＷＥＢ上での閲覧履歴、買い物履歴、ブックマークをはじめ、通話履歴、電子マネー等の利用履歴や残高情報、ゲーム記録などが挙げられる。
【００５１】
表示部１４にこのようなプライベートデータを表示させたい場合には、ユーザは、操作入力部１７で操作を行うことで、ＴＶ４でそのプライベートデータを表示することなく、表示部１４のみに表示させることができる。例えば、ＴＶ４と携帯端末装置１を接続して公開データをＴＶ４で見ている最中に、電子メール受信が発生した場合に、携帯端末装置１を手元に持って受信した電子メールを見ようと携帯端末装置１本体を操作することが想定される。この携帯端末装置１本体の操作により、表示部１４のみにプライベートデータの表示を行い、ＴＶ４への表示はそのままに維持し、プライベートデータがＴＶ４に表示され他人に見られることを防止できる。
【００５２】
また、プライベートデータに該当するか否かは、ＴＶ４の視聴者に依っても異なってくるが、その時々でユーザが判断して必要に応じて異出力にできる。従って、プライベートデータか否かの設定を携帯端末装置１の内部に格納しておく必要もない。
【００５３】
一方で、公開してもよいデータの閲覧時には、ステップＳ４で説明したように、ＴＶリモコン５で携帯端末装置１を操作すれば済む。
【００５４】
また、このような状態IIIから、ＴＶリモコン５での操作を受け付けたとする（ステップＳ１４）。ここでは、状態IVのように、Ｄｏｗｎキーの押下を受け付けたとすると、ステップＳ５〜Ｓ９と同様の処理（ステップＳ１５〜Ｓ１９）の処理がなされる。
【００５５】
但し、ステップＳ１８では、ＴＶ４にはＵＩ画像２３ｂからカーソルが１つ下に移動したＵＩ画像２３ｄが表示され、表示部１４にもＵＩ画像２２ｃからカーソルが１つ下に移動したＵＩ画像２２ｄが表示されると共に、異出力中状態から同等出力中状態に更新される。
【００５６】
次に、図７及び図８を参照して、携帯端末装置１での処理の流れを説明する。図７は、図１の表示システムにおける携帯端末装置で実行される、ＴＶとの間の接続／切断イベント発生時の処理例を説明するためのフロー図で、図８は、図１の表示システムにおける携帯端末装置で実行される、ユーザ操作イベント発生時の処理例を説明するためのフロー図である。
【００５７】
まず、図７を参照して、ＴＶ４との間の接続／切断イベントについて説明する。携帯端末装置１の制御部１０は、ＴＶ４との接続に関して、接続／切断イベントが発生したか否かを検知する（ステップＳ２１）。発生した場合、制御部１０は、そのイベントがＴＶ４とのＨＤＭＩ接続イベントであるのか否かを判定する（ステップＳ２２）。接続／切断イベントが、「外部操作入力通信部１８がＨＤＭＩケーブル３を介してＴＶ４と接続されたことを検知した」イベントであれば、ＴＶ４とのＨＤＭＩ接続イベントであると判定できる。
【００５８】
ステップＳ２２でＹＥＳの場合、出力先判断／制御部２１が同等出力中状態であることをＲＯＭ／ＲＡＭ部１６に記録し（ステップＳ２３）、出力先判断／制御部２１が出力先としてＴＶ４を選択し、外部出力データ生成部２３及び外部ＡＶ出力部１５がＨＤＭＩケーブル３を介して、表示部１４の画像と同等の画像（映像）を出力する（ステップＳ２４）。ステップＳ２４の後、ステップＳ２１へ戻る。このような処理により、例えば図２及び図４の状態Iのような表示状態となる。なお、ステップＳ２３とステップＳ２４との順序は問わない。
【００５９】
一方、ステップＳ２２でＮＯの場合、制御部１０は、そのイベントがＴＶ４とのＨＤＭＩ接続の切断イベントであるのか否かを判定する（ステップＳ２５）。ステップＳ２１で検知した接続／切断イベントが、「ＴＶ４とＨＤＭＩケーブル３で接続中の外部操作入力通信部１８が、携帯端末装置１側又はＴＶ４側でそのＨＤＭＩケーブル３が抜かれたことを検知した」イベントであれば、ＴＶ４とのＨＤＭＩ切断イベントであると判定できる。
【００６０】
ステップＳ２５でＹＥＳの場合、ＴＶ４への画像の出力は必要ないため、出力先判断／制御部２１の指示により、外部出力データ生成部２３及び外部ＡＶ出力部１５がＨＤＭＩケーブル３を介した画像の出力を停止する（ステップＳ２６）。これによっては、表示部１４での表示内容の変化はない。その後、ステップＳ２１へ戻る。
【００６１】
また、ステップＳ２５でＮＯの場合には、ＵＳＢ（Universal Serial Bus）ケーブルでのＴＶ４や他機器との接続やその切断など、他の接続／切断イベントであるため、制御部１０は、そのイベントに応じた処理を実行して（ステップＳ２７）、ステップＳ２１へ戻る。これによっては、表示部１４とＴＶ４の表示部での表示内容の変化はない。
【００６２】
次に、図８を参照して、ユーザ操作イベントについて説明する。出力先判断／制御部２１は、リモコンキー（外部操作信号）を受信したか否かを判定する（ステップＳ３１）。受信したと判定した場合（ＹＥＳの場合）には、出力先判断／制御部２１は、同等出力中状態であるか否かをＲＯＭ／ＲＡＭ部１６での記録などから判定する（ステップＳ３２）。同等出力中状態でなければ（ＮＯであれば）、出力先判断／制御部２１は、ＲＯＭ／ＲＡＭ部１６の状態を同等出力中状態に更新して、それまで表示部１４へ表示していた画像（映像）を停止する指示を内部出力データ生成部２２に行って、それまでの画像の生成・出力を停止する（ステップＳ３４）。
【００６３】
ステップＳ３２でＹＥＳの場合及びステップＳ３４の処理後、出力先判断／制御部２１は、内部出力データ生成部２２及び外部出力データ生成部２３に、リモコンキーに応じた処理出力を指示し、内部出力データ生成部２２がその処理出力を表示部１４に行うと共に、外部出力データ生成部２３及び外部ＡＶ出力部１５がＨＤＭＩケーブル３を介した同等の映像出力を実行する（ステップＳ３５）。なお、ステップＳ３３とステップＳ３４との順序は問わない。また、ステップＳ３５の処理後、ステップＳ３２でＮＯと判定済みであった場合のみステップＳ３３の処理（ステップＳ３４の処理はステップＳ３５の処理に含む）を実行するようにしてもよい。ステップＳ３５の処理後、ステップＳ３１へ戻る。このような処理により、例えば図２及び図４の状態IIのような表示状態となる。
【００６４】
一方、ステップＳ３１でＮＯの場合、出力先判断／制御部２１は、操作入力部１７でのキー（携帯キー）の入力があったか否かを判定し（ステップＳ３６）、入力がなかった場合にはステップＳ３１へ戻る。携帯キーの入力があった場合（ステップＳ３６でＹＥＳの場合）には、同等出力中状態であるか否かをＲＯＭ／ＲＡＭ部１６での記録などから判定する（ステップＳ３７）。同等出力中状態であれば（ＹＥＳであれば）、出力先判断／制御部２１は、ＲＯＭ／ＲＡＭ部１６の状態を異出力中状態に更新する（ステップＳ３８）。
【００６５】
ステップＳ３７でＮＯの場合及びステップＳ３８の処理後、出力先判断／制御部２１は、携帯キー受信時であるため、出力先判断／制御部２１は、内部出力データ生成部２２に携帯キー（内部操作信号）に応じた処理出力の画像生成を指示して、表示部１４がその画像を表示する（ステップＳ３９）。ステップＳ３９の処理では、ＴＶ４への映像出力は維持したまま、つまり携帯キーを反映した映像をＴＶへは出力しない。なお、ステップＳ３９の処理後、ステップＳ３７でＹＥＳと判定済みであった場合のみステップＳ３８の処理を実行するようにしてもよい。ステップＳ３９の処理後、ステップＳ３１へ戻る。このような処理により、例えば図３及び図５の状態IIIのような表示状態となる。
【００６６】
以上のような処理により、その代表的な使用例として、携帯端末装置１の表示部１４に表示している内容を接続されたＴＶ４のディスプレイに表示しているときに、携帯端末装置１が受信した電子メールを表示する操作を携帯端末装置１の操作入力部１７で行うと、手元の携帯端末装置１の表示部１４には新たな内容である電子メール本文を表示し、接続されたＴＶ４のディスプレイには新たな内容である電子メール本文を表示しないようにできる。これにより、他人には従来からディスプレイに表示しているものを見せ続けながら、手元（携帯端末装置１）で秘密の情報を参照することができる。
【００６７】
以上、本発明に係る携帯端末装置１について説明したが、上述した異出力制御部は、内部操作信号として、操作キーの入力信号だけでなく、携帯端末装置１の移動を検知した信号、携帯端末装置１の物理的形状の変化を検知した信号のいずれかを検出すると、上記異出力制御を行うようにしてもよい。これらの３つの検出のうち、いずれかを検出したときに、上記異出力制御を行うようにすればよい。勿論、移動を検出したときのみ上記異出力制御を行ってもよいし、物理的形状の変化を検出したときのみ上記異出力制御を行ってもよい。
【００６８】
携帯端末装置１の移動は、例えば加速度センサ等のセンサを搭載しておき、位置や配置角度等の移動を検知できるように構成しておけばよい。例えば、ユーザが卓上に置いた携帯端末装置１を手に持つだけや、携帯端末装置１を手に持って振る操作だけで、上記異出力制御ができる。また、携帯端末装置１の物理的形状の変化としては、携帯端末装置１に可動部を設けておき、例えばフリップオープン、スライドオープン、表示部１４の回転などを検知できるように構成しておけばよい。このような物理的形状変化をユーザが行うだけで上記異出力制御ができる。
【００６９】
このように、携帯端末装置１の移動又は物理的形状変化により上記異出力制御を行うことにより、より簡単で瞬時に、操作元が携帯端末装置１であると判定して、ＴＶ４での表示をそのままに携帯端末装置１で秘密情報（プライベートデータ）を表示させることができる。しかも、このような携帯端末装置１を手に持ったり表示部１４の画面が見れるように形状変化を行うといったユーザの動作は、携帯端末装置１でデータを見るために行う当然の動作であるため、このような当然の動作で自動的に表示部１４への表示を行うと共にＴＶ４へは表示部１４とは異なる表示を行うことができるため、非常に有益である。
【００７０】
以上、携帯端末装置１に接続するＴＶ４が１台であることを前提に説明したが、携帯端末装置１に接続するＴＶ４等の外部表示装置は、複数台であっても本発明は適用できる。
【００７１】
また、携帯端末装置１からＴＶ４等の外部表示装置に出力するデータが画像データ（及び音声データ）であることを前提に説明したが、本発明は音声データだけを携帯端末装置から外部音声出力装置へ出力する場合にも適用することができる。その場合、上記異出力制御の変わりに音声を無音とするための制御を行えばよく、画像の場合と同様に、外部音声出力装置からの外部操作信号により出力する音声が変更できるように構成しておくことが好ましい。
【００７２】
以上、本発明に係る携帯端末装置について説明したが、内部操作信号を検出したときに、異出力にする他の例として、ＴＶ４への画像表示をそのまま維持するのではなく、ＴＶ４への画像の表示を非表示にする制御を行うようにすることもできる。以下、このような停止制御について、図６のＣＥＣコマンドを送受する図１の表示システムを例に挙げて説明する。
【００７３】
本例での携帯端末装置１は、次の停止制御部を備える。停止制御部は、ＴＶ４に携帯端末装置１からの画像を表示中に、操作入力部１７でキー入力された操作等、内部操作信号を検出すると、携帯端末装置１からの画像のＴＶ４での表示を停止する（非表示にする）ための制御を行う。以下、この制御を、非表示制御という。まず、内部操作信号として操作入力部１７でのキー入力を例に挙げて説明する。この非表示制御では、操作入力部１７の操作キーの操作を受け付けた場合、ＴＶ４での表示を非表示にすることができる。つまり、瞬時に且つ容易な操作で、ＴＶ４での表示を非表示にすることができる。
【００７４】
次に、ＴＶ４での携帯端末装置１からの画像を非表示にする方法の例を挙げる。停止制御部は、上記非表示制御として、ＴＶ４への携帯端末装置１からの画像の出力を停止するとよい。出力の停止は、制御部１０（出力先判断／制御部２１）が、外部出力データ生成部２３で画像データを生成しないようにすること、或いは外部出力データ生成部２３で外部ＡＶ出力部１５への出力を停止させること、或いは外部ＡＶ出力部１５でＨＤＭＩケーブル３への出力を停止させること、などで実現できる。このような出力の停止により、ＴＶ４では画像が携帯端末装置１から送信されてこなくなるため、ＴＶ４での携帯端末装置１からの画像が非表示になる。
【００７５】
他の方法として、停止制御部は、上記非表示制御として、ＴＶ４に対して、携帯端末装置１からの画像を非表示にすることが可能な制御信号（その画像の表示を停止可能な制御信号）を出力する。このような制御信号としては、例えば、ＴＶ４の電源をＯＦＦする制御信号や、ＴＶ４の入力ソースを携帯端末装置１以外に切り替えるための制御信号などが挙げられる。制御部１０（出力先判断／制御部２１）がこのような制御信号を生成して外部操作入力通信部１８を介してＴＶ４に出力すればよい。また、この方法を採用するときには、上記非表示制御として、同時に、ＴＶ４への携帯端末装置１からの画像の出力を停止するようにすることが好ましい。なお、ＨＤＭＩケーブル３以外にも双方向通信が可能であれば、携帯端末装置１がこのような制御信号をＴＶ４に送信することができる。
【００７６】
また、上述したように、携帯端末装置１に外部操作信号受信部（外部操作入力通信部１８における受信部に相当する部位）が設けられ、外部操作信号が受信可能となっている場合には、制御部１０が、上記非表示制御を実行するために、操作元を判別する必要がある。
【００７７】
そのため、携帯端末装置１は、外部操作信号と内部操作信号とのうち、何れが入力されたかにより操作元を判別する操作元判別部を有する。操作元判別部が入力された信号で操作元を判別する例を挙げて説明するが、操作元判別部は、単に操作信号の入力経路（例えば出力先判断／制御部２１での入力端子を分けておき、いずれの端子から入力されたか）などで操作元を判別するように構成してもよい。
【００７８】
出力先判断／制御部２１は、上述した停止制御部とこの操作元判別部とを備えた部位の一例である。つまり、出力先判断／制御部２１は、外部操作信号であるか又は内部操作信号であるかにより操作元がＴＶ４側であるのか携帯端末装置１本体であるのかを判別し、上記非表示制御を行って、判別された操作元が操作入力部１７であったときにＴＶ４での非表示を実現するための制御を行う。
【００７９】
以上、説明したように、上記非表示制御が可能な本例の携帯端末装置１によれば、携帯端末装置１からＴＶ４に画像を出力して表示させている際に、電話の着信、電子メールの受信、画像の切り替わりなどによりＴＶ４の現在の視聴者に見せたくない画像が表示されるときに、携帯端末装置１での簡単で瞬時に行える操作により、その場で容易に素早くＴＶ４でのその画像の表示を停止することが可能となる。また、ユーザがＴＶ４を見ながら、出力する画像の変更を行う場合には、ＴＶ４へのＴＶリモコン５等による操作で実行できる。
【００８０】
また、携帯端末装置１に外部操作信号受信部を設けない構成でも、つまり上述の操作元判別部を備えなくても、上述した非表示制御は実行できる。従って、携帯端末装置１が外部操作信号を受信できる構成でなく出力先判断／制御部２１で例示した操作元判別部も備えない構成であっても、携帯端末装置１からＴＶ４に画像を出力して表示させている際に、ＴＶ４の現在の視聴者に見せたくない画像が表示されるときに、携帯端末装置１での簡単で瞬時に行える操作により、その場で容易に素早くＴＶ４でのその画像の表示を停止することが可能になる。
【００８１】
次に、上記非表示制御を可能に構成した図１の表示システムにおける処理の具体例を図９〜図１２を参照しながら説明する。まず、図９、図１０、及び図６を参照し、この具体例の概要について説明する。図９は、図１の表示システムにおける接続開始時、ＴＶリモコン操作時、携帯端末装置操作時の他の操作及び表示例を示す図である。また、図１０は、図９の操作及び表示例に対応する処理手順の一例を説明するためのフロー図である。なお、図６は、図１０の処理手順において携帯端末装置とＴＶとの間で送受されるＣＥＣコマンドのフレーム構造を示す概略図でもある。
【００８２】
図９の状態Vで示すように、まず携帯端末装置１とＴＶ４とをＨＤＭＩケーブル３で接続する。このとき、携帯端末装置１は、接続を検知する（ステップＳ５１）。続いて、自動的に内部出力データ生成部２２が、出力コンテンツを選択するためのＵＩ画像２２ａを生成し（又は読み出し）、携帯端末装置１の表示部１４に表示する（ステップＳ５２）。また、ＵＩ画像２２ａは携帯端末装置１での所定のユーザ操作により表示部１４に表示するような制御を採用してもよいが、その場合には、上記非表示制御をその所定のユーザ操作まで実行しないような制限が必要となる。
【００８３】
また、ステップＳ５２では、自動的に外部出力データ生成部２３が、ＵＩ画像２２ａと同等のＵＩ画像２３ａを生成し（又は読み出し）、外部ＡＶ出力部１５に渡す。これにより、外部ＡＶ出力部１５がＨＤＭＩケーブル３を介してＴＶ４にＵＩ画像２３ａを出力し（ステップＳ５３）、ＴＶ４が自身の表示部にＵＩ画像２３ａを表示する。なお、外部出力データ生成部２３で生成され入力したＵＩ画像２３ａ等の画像は、ＴＶ４側で拡大などのスケーリング処理を施してから表示させてもよい。また、ステップＳ５２では、このような処理の状態（少なくとも表示部１４へ出力の有無とＴＶ４への出力の有無）をＲＯＭ／ＲＡＭ部１６に記録して管理しておき、現在の状態を把握できるようにしておく。記録する状態としては、ＴＶ接続中状態、ＴＶ出力中状態、携帯表示中状態などである。
【００８４】
このような状態Vから、ＴＶリモコン５でリモコンキーがユーザにより操作されたとする（ステップＳ５４）。ここでは、状態VIのように、リモコンパススルー用のＤｏｗｎキーが操作されたとして説明する。なお、ＨＤＭＩ規格のＣＥＣでは、上述のように、様々なリモコンキーがリモコンパススルーでＴＶ４に接続されたＣＥＣ対応機器に転送可能になっている。
【００８５】
ＴＶ４では、リモコンパススルー用のＤｏｗｎキーの押下により送信されたリモコン信号をリモコン用の受信部で受信して、図４のステップＳ５，Ｓ６，Ｓ７と同様の処理を行う（ステップＳ５５，Ｓ５６，Ｓ５７）。
【００８６】
続いて、制御部１０は、Ｄｏｗｎキーが押下された外部操作信号であることを制御コマンド３３から解釈して、その旨を内部の出力先判断／制御部２１に渡す。出力先判断／制御部２１は、外部操作信号であることからＴＶ４を出力先と判断して、外部出力データ生成部２３に対し、ＵＩ画像２３ａからカーソルが１つ下へ移動したＵＩ画像２３ｂの生成を指示し、外部出力データ生成部２３がそのＵＩ画像２３ｂを生成し、外部ＡＶ出力部１５に渡す（ステップＳ５８）。これにより、外部ＡＶ出力部１５がＨＤＭＩケーブル３を介してＴＶ４へそのＵＩ画像２３ｂを出力し（ステップＳ５９）、ＴＶ４が自身の表示部にＵＩ画像２３ｂを表示する。
【００８７】
また、ステップＳ５８では、出力先判断／制御部２１が、外部操作信号を受信したことを判定したので、内部出力データ生成部２２に対して、画像の生成を停止する指示又は表示部１４への出力を停止させる指示を送り、内部出力データ生成部２２がそれに従って表示部１４でのＵＩ画像２２ａの表示を停止する。これにより、黒画面２２ｅとなるため、不要な表示を止めることができるため省電力化が図れる。また、ステップＳ５８では、このような処理の状態をＲＯＭ／ＲＡＭ部１６に記録して管理しておき、現在の状態を把握できるようにしておく。状態Vから状態VIへの遷移により、携帯表示中状態を携帯表示停止中状態に更新すればよい。
【００８８】
ステップＳ５８で説明したように、携帯端末装置１は、判別された操作元がＴＶ４側であったときに、表示部１４での画像（ＴＶ４に出力中の画像と同画像に限らない）の表示を停止する本体側停止制御部を備えるようにしてもよい。この本体側停止制御部も出力先判断／制御部２１で例示できる。この停止の処理は、上述したように、出力先判断／制御部２１が、内部出力データ生成部２２に対して生成停止指示を行うか又は表示部１４（及びスピーカ１３）への出力停止指示を行うことで実行できる。また、この本体側停止制御部は、図２〜図８で説明した異出力制御部を備えた形態においても適用できる。
【００８９】
このような状態V又は状態VIから、携帯端末装置１の操作入力部１７で何らかの操作がユーザによってなされたとする（ステップＳ６０）。ここでは、状態VIIのように、電子メール受信ＢＯＸを表示する操作がなされたとして説明する。この操作は、電子メールの受信により自動的に行ったとみなしてもよいし、ユーザが過去の電子メールを確認したいと希望して行った操作であってもよい。
【００９０】
電子メール受信ＢＯＸ表示操作を操作入力部１７が受け取ると、制御部１０にその処理内容を示す内部操作信号を渡す。これにより、出力先判断／制御部２１が外部操作信号ではなく内部操作信号であることを検知、つまり携帯端末装置１の操作キーの押下を検知する（ステップＳ６１）。
【００９１】
続いて、制御部１０は、その内部操作信号から操作内容（この例では電子メール受信ＢＯＸの表示）を解釈して、その操作内容を内部の出力先判断／制御部２１に渡す。出力先判断／制御部２１は、内部操作信号であることから携帯端末装置１の表示部１４を出力先と判断して、内部出力データ生成部２２に対し、電子メール受信ＢＯＸを表示するＵＩ画像２２ｃの生成を指示し、内部出力データ生成部２２がそのＵＩ画像２２ｃを生成し、表示部１４に渡す（ステップＳ６２）。これにより、表示部１４でＵＩ画像２２ｃが表示される。
【００９２】
また、ステップＳ６２では、出力先判断／制御部２１が、内部操作信号を受信したことを判定したので、外部出力データ生成部２３に対して、画像の生成を停止する指示又は外部ＡＶ出力部１５への出力を停止させる指示を送る。これにより、外部出力データ生成部２３又は外部ＡＶ出力部１５が画像出力（映像出力）を停止する（ステップＳ６３）。
【００９３】
さらに、ステップＳ６２では、出力先判断／制御部２１が、同じく内部操作信号を受信したと判断したので、外部操作入力通信部１８に対して、次のＣＥＣコマンド（ＣＥＣメッセージ）の生成・出力を指示する。このＣＥＣコマンドは、携帯端末装置１自身（外部操作入力通信部１８自身）の論理アドレスをメッセージ送信アドレス３２ａ、ＴＶ４の論理アドレスをメッセージ受信アドレス３２ｂとし、制御コマンドに＜Ｓｔａｎｂｙ＞（電源ＯＦＦを表すコマンド）を採用したコマンドとする。このようなＣＥＣコマンドを外部操作入力通信部１８が生成してＨＤＭＩケーブル３を介して送信する（ステップＳ６４）。ステップＳ６３，Ｓ６４により、画像の出力を停止すると共に、このＣＥＣコマンドを受信したＴＶ４が自身の電源をＯＦＦ（スタンバイ状態へ移行）し、ＴＶ４の表示部が黒画面４０となる。
【００９４】
また、ステップＳ６２では、このような処理の状態をＲＯＭ／ＲＡＭ部１６に記録して管理しておき、現在の状態を把握できるようにしておく。状態V又は状態VIから状態VIIへの遷移により、携帯表示中状態、ＴＶ出力停止中状態に更新すればよい。
【００９５】
また、ステップＳ５８での処理とステップＳ６２での処理とを併用することで、出力先判断／制御部２１は、操作信号の入力元（つまり操作元）を判別し、操作元と異なる出力先への出力を停止し（又は停止を維持し）、且つ操作元と一致する出力先へ出力する（又は出力を維持する）ことになる。
【００９６】
なお、状態VIIにおいて、ＴＶリモコン５でのＤｏｗｎキーの押下を受け付けた場合には、ＴＶ４が自身の電源をＯＮすると共に、ステップＳ５５〜Ｓ５９の処理をＴＶ４及び携帯端末装置１が実行すればよい。その場合、ＵＩ画像２３ｂの代わりに、ＵＩ画像２２ｃにおいてカーソルが１つ下に移動したＵＩ画像がＴＶ４の表示部で表示されることになる。
【００９７】
また、ステップＳ６０での携帯キーの操作を行う場面としては、他人に見られたくないデータ（プライベートデータ）の閲覧へ移行する時が挙げられる。プライベートデータについては上述した（１）〜（５）の他に、（６）ＴＶ４へ出力中の画像の内容が切り替わったときの画像データ自体も挙げられる。上記（６）のデータとしては、ＷＥＢ閲覧中の画像において、ユーザ操作により視聴者に見せたくないような画像に切り替わった時や、ワンセグなどで受信中の映像において、番組切り替わり時やシーンチェンジ時などにより視聴者に見せたくないような画像に切り替わった時などの画像データ自体が挙げられる。
【００９８】
このようなプライベートデータのＴＶ４での表示を余儀なくされたとき又は余儀なくされそうになったときには、ユーザは、操作入力部１７で操作を行うことで、ＴＶ４での表示を非表示にすることができる。例えば、ＴＶ４と携帯端末装置１を接続して公開データをＴＶ４で見ている最中に、電子メール受信が発生した場合に、携帯端末装置１を手元に持って受信した電子メールを見ようと携帯端末装置１本体を操作することが想定される。この携帯端末装置１本体の操作により、自動的にＴＶ４への出力を停止すること（及び携帯端末装置１の表示部１４へ出力すること）により、プライベートデータがＴＶ４に表示され他人に見られることを防止できる。
【００９９】
また、プライベートデータに該当するか否かは、ＴＶ４の視聴者に依っても異なってくるが、その時々でユーザが判断して必要に応じて非表示にできる。従って、プライベートデータか否かの設定を携帯端末装置１の内部に格納しておく必要もない。
【０１００】
一方で、公開してもよいデータの閲覧時には、ステップＳ５４で説明したように、ＴＶリモコン５で携帯端末装置１を操作すれば済む。
【０１０１】
次に、図１１及び図１２を参照して、携帯端末装置１での処理の流れを説明する。図１１は、図１の表示システムにおける携帯端末装置で実行される、ＴＶとの間の接続／切断イベント発生時の他の処理例を説明するためのフロー図で、図１２は、図１の表示システムにおける携帯端末装置で実行される、ユーザ操作イベント発生時の他の処理例を説明するためのフロー図である。
【０１０２】
まず、図１１を参照して、ＴＶ４との間の接続／切断イベントについて説明する。携帯端末装置１の制御部１０は、図７のステップＳ２１と同様に、ＴＶ４との接続に関して、接続／切断イベントが発生したか否かを検知する（ステップＳ７１）。発生した場合、ステップＳ２２と同様に、制御部１０は、そのイベントがＴＶ４とのＨＤＭＩ接続イベントであるのか否かを判定する（ステップＳ７２）。
【０１０３】
ステップＳ７２でＹＥＳの場合、出力先判断／制御部２１が出力先としてＴＶ４を選択し、外部出力データ生成部２３及び外部ＡＶ出力部１５がＨＤＭＩケーブル３を介して、画像（映像）を出力する（ステップＳ７３）。また、ステップＳ７３に続き、又はステップＳ７３に先だって、出力先判断／制御部２１が出力先として表示部１４も選択し、現在表示部１４への映像出力停止中状態であるかをＲＯＭ／ＲＡＭ部１６の記録から判定し（ステップＳ７４）、映像出力停止中状態であれば（ＹＥＳの場合）、内部出力データ生成部２２を制御して表示部１４に同じ内容の画像（映像）を表示させる（ステップＳ７５）。ステップＳ７５の後、ステップＳ７１へ戻る。ステップＳ７４でＮＯの場合には、この画像が既に表示中であるため、そのままステップＳ７１へ戻る。このような処理により、例えば図９及び図１０の状態Vのような表示状態となる。
【０１０４】
一方、ステップＳ７２でＮＯの場合、制御部１０は、図７のステップＳ２５と同様に、そのイベントがＴＶ４とのＨＤＭＩ接続の切断イベントであるのか否かを判定する（ステップＳ７６）。ステップＳ７６でＹＥＳの場合、ステップＳ２６と同様の処理（ステップＳ７７）、ステップＳ７６でＮＯの場合、ステップＳ２７と同様の処理（ステップＳ７８）をそれぞれ行い、ステップＳ７１へ戻る。
【０１０５】
次に、図１２を参照して、ユーザ操作イベントについて説明する。出力先判断／制御部２１は、リモコンキー（外部操作信号）を受信したか否かを判定し（ステップＳ８１）、受信した場合（ＹＥＳの場合）には、出力先としてＴＶ４を選択する処理を行う。つまり、出力先判断／制御部２１は、現在、ＴＶ４へ映像を出力中であるか否かをＲＯＭ／ＲＡＭ部１６での記録などから判定し（ステップＳ８２）、出力中でなければ（ＮＯであれば）、外部出力データ生成部２３に映像出力を指示するなどして、外部出力データ生成部２３及び外部ＡＶ出力部１５がＨＤＭＩケーブル３を介した映像出力を実行する（ステップＳ８３）。
【０１０６】
ステップＳ８２でＹＥＳの場合及びステップＳ８３の処理後、出力先判断／制御部２１は、リモコンキー受信時であるため、出力先として表示部１４を除外する処理を行う。つまり、現在、表示部１４へ映像を出力中であるか否かをＲＯＭ／ＲＡＭ部１６での記録などから判定し（ステップＳ８４）、出力中であれば（ＹＥＳであれば）、内部出力データ生成部２２に映像出力停止を指示するなどして、表示部１４での映像出力を停止する（ステップＳ８５）。
【０１０７】
ステップＳ８４でＮＯの場合及びステップＳ８５の処理後、ステップＳ８１で受信したと判定した元となったリモコンキーに応じた処理（映像を変更する処理）を実行し（ステップＳ８６）、ステップＳ８１へ戻る。このような処理により、例えば図９及び図１０の状態VIのような表示状態となる。
【０１０８】
一方、ステップＳ８１でＮＯの場合、出力先判断／制御部２１は、操作入力部１７でのキー（携帯キー）の入力があったか否かを判定し（ステップＳ８７）、入力がなかった場合にはステップＳ８１へ戻る。携帯キーの入力があった場合（ステップＳ８７でＹＥＳの場合）には、出力先としてＴＶ４を除外する処理を行う。つまり、出力先判断／制御部２１は、現在、ＴＶ４へ映像を出力中であるか否かをＲＯＭ／ＲＡＭ部１６での記録などから判定し（ステップＳ８８）、出力中であれば（ＹＥＳであれば）、外部出力データ生成部２３に映像出力の停止を指示するなどして、外部出力データ生成部２３及び外部ＡＶ出力部１５がＨＤＭＩケーブル３を介した映像出力を停止する（ステップＳ８９）。上述したように、このステップＳ８９の処理と同時に、出力先判断／制御部２１が外部操作入力通信部１８にＴＶ４の電源をＯＦＦする制御信号を発するように指示して、ＴＶ４の電源をＯＦＦさせてもよい。
【０１０９】
ステップＳ８８でＮＯの場合及びステップＳ８９の処理後、出力先判断／制御部２１は、携帯キー受信時であるため、出力先として表示部１４を加える処理を行う。つまり、現在、表示部１４へ映像を出力中であるか否かをＲＯＭ／ＲＡＭ部１６での記録などから判定し（ステップＳ９０）、出力中でなければ（ＮＯであれば）、内部出力データ生成部２２に映像出力を指示するなどして、表示部１４での映像出力を実行する（ステップＳ９１）。
【０１１０】
ステップＳ９０でＹＥＳの場合及びステップＳ９１の処理後、ステップＳ８７で入力したと判定した元となった携帯キーに応じた処理（映像を変更する処理等）を実行し（ステップＳ８６）、ステップＳ８１へ戻る。このような処理により、例えば図９及び図１０の状態VIIのような表示状態となる。
【０１１１】
以上、上記非表示制御を行う携帯端末装置１について説明したが、上述した停止制御部は、内部操作信号として、操作キーの入力信号だけでなく、携帯端末装置１の移動を検知した信号、携帯端末装置１の物理的形状の変化を検知した信号のいずれかを検出すると、上記異出力制御を行うようにしてもよい。これらの３つの検出のうち、いずれかを検出したときに、上記非表示制御を行うようにすればよい。勿論、移動を検出したときのみ上記非表示制御を行ってもよいし、物理的形状の変化を検出したときのみ上記非表示制御を行ってもよい。移動の検知や物理的形状の変化の検知については上述した通りである。
【０１１２】
このように、携帯端末装置１の移動又は物理的形状変化により上記非表示制御を行うことにより、より簡単で瞬時に、操作元が携帯端末装置１であると判定して、ＴＶ４での携帯端末装置１からの画像の表示を止めることができる。しかも、このような携帯端末装置１を手に持ったり表示部１４の画面が見れるように形状変化を行うといったユーザの動作は、携帯端末装置１でデータを見るために行う当然の動作であるため、このような当然の動作で自動的にＴＶ４への画像表示を止めることができるため、非常に有益である。
【０１１３】
以上、上記非表示制御が可能な携帯端末装置１に接続するＴＶ４が１台であることを前提に説明したが、携帯端末装置１に接続するＴＶ４等の外部表示装置は、複数台であっても上記非表示制御は適用できる。
【０１１４】
また、上記非表示制御が可能な携帯端末装置１からＴＶ４等の外部表示装置に出力するデータが画像データ（及び音声データ）であることを前提に説明したが、上記非表示制御の思想は音声データだけを携帯端末装置から外部音声出力装置へ出力する場合にも適用することができる。その場合、上記非表示制御の変わりに音声を無音とするための制御を行えばよく、画像の場合と同様に、外部音声出力装置からの外部操作信号により出力する音声が変更できるように構成しておくことが好ましい。
【符号の説明】
【０１１５】
１…携帯端末装置、３…ＨＤＭＩケーブル、４…ＴＶ、５…ＴＶリモコン、１０…制御部、１１…通信部、１２…マイク、１３…スピーカ、１４…表示部、１５…外部ＡＶ出力部、１６…ＲＯＭ／ＲＡＭ部、１７…操作入力部、１８…外部操作入力通信部、２１…出力先判断／制御部、２２…内部出力データ生成部、２２ａ，２２ｃ，２３ａ，２３ｂ…ＵＩ画像、２２ｅ，４０…黒画面、２３…外部出力データ生成部、３０…ＣＥＣコマンド、３２…ヘッダブロック、３２ａ…メッセージ送信アドレス、３２ｂ…メッセージ受信アドレス、３３…制御コマンド。
【図１】
0005520936.tif 000002
【図２】
0005520936.tif 000003
【図３】
0005520936.tif 000004
【図４】
0005520936.tif 000005
【図５】
0005520936.tif 000006
【図６】
0005520936.tif 000007
【図７】
0005520936.tif 000008
【図８】
0005520936.tif 000009
【図９】
0005520936.tif 000010
【図１０】
0005520936.tif 000011
【図１１】
0005520936.tif 000012
【図１２】
0005520936.tif 000013